(57)【要約】  針保護具（１０）は、２つの長手方向に伸張する側部（３０）間に長手方向に伸張する開口部を有し、かつ、前方端（４０）および後端（６４）を有する通路（３６）の一部を画定する細長い凹溝部材（２２）を有する。舌状部材（２４）は、開位置において、長手方向に隣接する開口部を伸張し、かつ自身と側部（３０）のうちの少なくとも１つとの間に少なくとも１つの細穴（３４）を画定し、該細穴（３４）は、翼付き針ブロックの少なくとも１つの翼状部を受けるように適応される。舌状部材（２４）は、通路（３６）を閉鎖する、ブロックする、またはほぼ閉鎖するもしくはほぼブロックするために、溝部材（２２）内に置かれるように閉位置に移動可能である。【選択図】図２
2018522635.tif 000002
【特許請求の範囲】
【請求項１】
針が針ブロック上に取り付けられる針組立品と共に使用する針保護具であって、
２つの長手方向に伸張する側縁部間に長手方向に伸張する開口部を有する細長い凹溝部材であって、前記針組立品の少なくとも一部を受けるための前方端、および後端を有する通路の少なくとも一部を画定する凹溝部材と、
開位置において、長手方向に隣接する前記開口部を伸張し、かつ自身と前記側縁部のうちの少なくとも１つとの間に少なくとも１つの細穴を画定する細長い舌状部材であって、前記少なくとも１つの細穴は翼付き針ブロックの少なくとも１つの翼状部を受けるように適応される開放前方端、および後端を有する、舌状部材と、を備え、
前記舌状部材の少なくとも一部分は、前記通路を閉鎖する、ブロックする、またはほぼ閉鎖するもしくはほぼブロックするために、前記溝部材内に置かれるように閉位置に移動可能である、針保護具。
【請求項２】
前記閉位置において、前記舌状部材は前記少なくとも１つの細穴の少なくとも一部を閉鎖する、請求項１に記載の針保護具。
【請求項３】
後方に面する表面を含む少なくとも１つの第１の可撓性アームであって、前記後方に面する表面の後方に前記細穴に位置する物体の前方への動きを阻止するように構成される可撓性アームを備える、請求項１または２に記載の針保護具。
【請求項４】
少なくとも１つの第１の可撓性アームは、前記開位置において、前記細穴の有効高さを低減するために、該アームの端部間で前記細穴内に伸張するまたはこれの一部を覆う、請求項３に記載の針保護具。
【請求項５】
少なくとも１つの可撓性アームは、前記閉位置において、前記細穴を閉鎖するために、該アームの端部間で前記細穴内に伸張するまたはこれの一部を覆う、請求項３または４に記載の針保護具。
【請求項６】
前記舌状部は、前記閉位置において前記溝部材を係合し、かつ、液体が、前記通路から前端を介して周囲へ漏れないように前記通路の前記前端をほぼ密封するように適応される密封構造を含む、請求項１〜５のうちいずれか一項に記載の針保護具。
【請求項７】
前記開位置において、前記少なくとも１つの細穴は、翼付き針ブロックの少なくとも１つの翼状部を受けるための少なくとも１つの翼受け用凹部と連通する、請求項１〜６のうちいずれか一項に記載の針保護具。
【請求項８】
前記閉位置において、前記翼受け用凹部は閉鎖されるまたはほぼ閉鎖される、請求項７に記載の針保護具。
【請求項９】
前記針保護具内に格納される時に前記針組立品を第１の位置に整合させる、付勢する、または付勢しかつ整合するための少なくとも１つのガイド部分を備える、請求項１〜８のうちいずれか一項に記載の針保護具。
【請求項１０】
前記少なくとも１つのガイド部分の少なくとも１つは、前記細穴を画定する前記舌状部材および溝部材の１つまたはこの両方の少なくとも一部を備える、請求項９に記載の針保護具。
【請求項１１】
前記少なくとも１つのガイド部分は、前記針組立品を前記格納位置にある時に前記舌状部または前記溝部材の方へ付勢するように適応される、請求項９または１０に記載の針保護具。
【請求項１２】
前記少なくとも１つのガイド部分は、前記針組立品を前記格納位置にある時に前記舌状部または前記溝部材の方へ付勢するように適応され、それによって、カニューレの自由端のまたはその近くの前記カニューレの一部分が、対応する前記舌状部または前記溝部材の表面に近接するまたは係合する、請求項９〜１１のうちいずれか一項に記載の針保護具。
【請求項１３】
前記少なくとも１つのガイド部分は少なくとも１つの付勢部材を備える、請求項９〜１２のうちいずれか一項に記載の針保護具。
【請求項１４】
前記少なくとも１つの付勢部材は少なくとも１つの第２の可撓性アームを備える、請求項１３に記載の針保護具。
【請求項１５】
前記少なくとも１つの第２の可撓性アームは前記細穴の一部を画定する、請求項１４に記載の針保護具。
【請求項１６】
前記舌状部を前記閉位置において保持するための少なくとも１つのロック機構を含む、請求項１〜１５のうちいずれか一項に記載の針保護具。
【請求項１７】
前記開位置において、側面から見た時、前記少なくとも１つの側縁部と前記舌状部材との間に間隙がある、請求項１〜１６のうちいずれか一項に記載の針保護具。
【請求項１８】
前記開位置において、前記舌状部材の少なくとも一部は前記溝部材内に置かれ、それによって、側面から見た時、前記少なくとも１つの側縁部と前記舌状部材との間に間隙はない、請求項１〜１７のうちいずれか一項に記載の針保護具。
【請求項１９】
前記凹溝部材は、上壁、および２つの対向した第１の側壁を備える、請求項１〜１８のうちいずれか一項に記載の針保護具。
【請求項２０】
前記第１の側壁の分離状態は、前記側壁および舌状部上のいずれのロック用凸部または凹部も除いて、前記舌状部の幅より大きい、請求項１９に記載の針保護具。
【請求項２１】
前記舌状部材は下壁を備える、請求項１〜２０のうちいずれか一項に記載の針保護具。
【請求項２２】
前記舌状部材は２つの対向した第２の側壁を備える、請求項１〜２１のうちいずれか一項に記載の針保護具。
【請求項２３】
前記少なくとも１つのガイド部分は、前記舌状部材および前記溝部材のうちの１つまたは両方に対して固定される、請求項１〜２２のうちいずれか一項に記載の針保護具。
【請求項２４】
前記少なくとも１つのガイド部分は、前記舌状部材および前記溝部材のうちの１つまたは両方に対して移動可能である、請求項１〜２３のうちいずれか一項に記載の針保護具。
【請求項２５】
前記少なくとも１つの翼受け用凹部の少なくとも一部は、前記舌状部材もしくは前記溝部材、または、前記舌状部材および前記溝部材両方によって画定される、請求項１〜２４のうちいずれか一項に記載の針保護具。
【請求項２６】
前記閉位置において、前記舌状部材は前記細穴を閉鎖するために前記側縁部に当接する、請求項１〜２５のうちいずれか一項に記載の針保護具。
【請求項２７】
前記少なくとも１つの細穴はこの後端で閉鎖される、請求項１〜２６のうちいずれか一項に記載の針保護具。
【請求項２８】
前記ロック機構は、前記舌状部または前記溝部材のうちの１つの上に少なくとも１つの凸部と、これらのうちのもう一つの上に、前記少なくとも１つの凸部を受けるための少なくとも１つの凹部または開口部とを備える、請求項１〜２７のうちいずれか一項に記載の針保護具。
【発明の詳細な説明】
【技術分野】
【０００１】
本発明は、針保護具に関し、より詳細には、端部に針を有する翼付き針組立品が引き込まれる保護具に関する。
【背景技術】
【０００２】
針保護具は、針組立品の針を引き込むことができる防護装置である。針は、完全に引き込まれると、保護具内にロックされ、偶発的に伸張させることができないため、該保護具に入ると、偶発的な針刺し損傷を防止することができる。
【０００３】
翼付き針組立品は、ユーザが該針組立品をより容易に操作できるようにする１つまたは２つの可撓性翼状部を有する針ブロックを有する。
【発明の概要】
【発明が解決しようとする課題】
【０００４】
本発明は、翼付き針組立品と共に使用する新規な針保護具を提供することを目的とする。少なくともいくつかの好ましい実施形態は、該保護具内により容易に引き込ませ、液体が漏れないようにほぼ密封し、引き込まれた針組立品が確実に正確に留められていることを使用者に視覚的かつ可聴式にフィードバックすることを目的とする。
【課題を解決するための手段】
【０００５】
本発明は、針が針ブロックに取り付けられる針組立品と共に使用する針保護具であって、
２つの長手方向に伸張する側縁部間に長手方向に伸張する開口部を有する細長い凹溝部材であって、針組立品の少なくとも一部を受けるための通路の少なくとも一部を画定する凹溝部材と、
開位置において、長手方向に隣接する開口部を伸張し、かつ自身と側縁部のうちの少なくとも１つとの間に少なくとも１つの細穴を画定する細長い舌状部材であって、少なくとも１つの細穴は翼付き針ブロックの少なくとも１つの翼状部を受けるように適応される、舌状部材と、を備え、
舌状部材の少なくとも一部分は、通路を閉鎖する、ブロックする、またはほぼ閉鎖するもしくはほぼブロックするために、溝部材内に置かれるように閉位置に移動可能である、保護具を提供する。
【０００６】
好ましくは、少なくとも１つの細穴において少なくとも１つの翼状部を受けることで、溝部材に対して上記の舌状部材は移動しない。
【０００７】
好ましくは、開位置において、舌状部材は溝部材の外部に置かれる。しかしながら、舌状部材の少なくとも一部は溝部材内に置かれてよい。
【０００８】
好ましい実施形態では、側面から見た時、少なくとも１つの側縁部と舌状部材との間に間隙がある。これによって、翼状部を偏向させずにまたはわずかな偏向で、翼状部を細穴に沿って通過させて翼付き針ブロックを保護具に引き入れることができる。
【０００９】
しかしながら、舌状部材の少なくとも一部は、溝部材内に置かれてよく、それによって、側面から見た時、少なくとも１つの側縁部と舌状部材との間に間隙はない。そのように画定された細穴によって、いくらかの偏向を必要としながらも翼状部を細穴に沿って通過させて翼付き針ブロックを保護具に引き入れることができる。
【００１０】
好ましくは、細穴は舌状部材と両側縁部との間に画定されている。
【００１１】
好ましくは、閉位置において、舌状部材は少なくとも１つの細穴の少なくとも一部を閉鎖する。
【００１２】
針保護具は、好ましくは、該舌状部を閉位置において保持するための少なくとも１つのロック機構を有する。好ましい実施形態では、ロック機構は、舌状部または溝部材のうちの１つの上に少なくとも１つの凸部と、これらのうちのもう一つの上に、少なくとも１つの凸部を受けるための少なくとも１つの凹部または開口部とを備える。好ましい実施形態では、該舌状部は、溝部材において凹部または開口部に係合する凸部を有する。
【００１３】
好ましくは、閉位置において、舌状部材は溝部材内に位置する。しかしながら、閉位置において、舌状部材は、細穴を閉鎖するために側縁部に当接し、かつ、通路を閉鎖するために、溝部材内に伸張する閉鎖部分を有することができる。
【００１４】
凹溝部材は、上壁、および２つの対向した第１の側壁を備えることができる。
【００１５】
舌状部材は下壁を備えることができる。舌状部材は２つの対向した第２の側壁を有することができる。
【００１６】
好ましくは、第１の側壁の分離状態は、側壁および舌状部上のいずれのロック用凸部または凹部も除いて、舌状部の幅より大きい。
【００１７】
舌状部は好ましくは、液体が、通路から前端を介して周囲へ漏れないように通路の前端を密封するための密封構造を含む。
【００１８】
好ましい実施形態では、開位置において、少なくとも１つの細穴は、翼付き針ブロックの少なくとも１つの翼状部を受けるための少なくとも１つの翼受け用凹部と連通する。
【００１９】
少なくとも１つの翼受け用凹部の少なくとも一部は、舌状部材もしくは溝部材、または、舌状部材および溝部材両方によって画定可能である。
【００２０】
好ましくは、閉位置において、翼受け用凹部は閉鎖される。
【００２１】
翼受け用部分は、針ブロック翼状部の前部分を受けるための少なくとも１つの翼受け用細穴を有することができる。少なくとも１つの翼受け用細穴は、舌状部材または溝部材において形成されてよい。少なくとも１つの翼受け用細穴は後方に面していてよい。
【００２２】
保護具は、好ましくは、針保護具内に格納する時に針組立品を第１の位置に整合させるための少なくとも１つのガイド部材または表面を含む。
【００２３】
少なくとも１つのガイド部材または表面は、舌状部材および溝部材のうちの１つまたは両方に対して固定可能である、または、舌状部材および溝部材のうちの１つまたは両方に対して移動可能であってよい。
【００２４】
少なくとも１つのガイド部材または表面は細穴または可動アームを含むことができる。少なくとも１つのガイド部材または表面は、翼受け用部分または翼受け用細穴の一部を含んでよい。
【００２５】
保護具は、好ましくは、針保護具内に格納される時に針組立品を第１の位置に付勢するための少なくとも１つの付勢部材を含む。少なくとも１つのガイド部材または表面は少なくとも１つの付勢部材を含むことができる。少なくとも１つの付勢部材は、少なくとも１つのガイド部材または表面を含むことができる。
【００２６】
少なくとも１つの付勢部材は、舌状部材および溝部材のどちらかまたはその両方上に位置するまたはこれらから伸張する可撓性アームを備えてよい。
【００２７】
少なくとも１つの付勢部材は、針組立品を、格納位置にある時に舌状部または溝部材の方へ付勢することができる。
【００２８】
少なくとも１つの付勢部材は、針組立品を、格納位置にある時に舌状部または溝部材の方へ付勢することができ、それによって、カニューレの自由端のまたはその近くのカニューレの一部分が、対応する舌状部または溝部材の表面に近接するまたは係合するようになる。
【図面の簡単な説明】
【００２９】
【図１】本発明の第１の実施形態による針保護具の上からの斜視図である。
【図２】図１の針保護具の下からの斜視図である。
【図３】開位置における図１の針保護具の側面図である。
【図４】図３の線ＡＡによる針保護具の断面図である。
【図５】開位置における図１の針保護具の前面図である。
【図６】図５の線ＢＢによる針保護具の縦断面の斜視図である。
【図７】開位置における図１の針保護具の縦断面図である。
【図８】閉位置における図１の針保護具の縦断面図である。
【図９】開位置にある時の針組立品に取り付けられた図１の針保護具の側面図である。
【図１０】図９の針保護具組立品の平面図である。
【図１１】図１０の線ＡＡによる針保護具組立品の縦断面図である。
【図１２】図９の針保護具組立品であるが針組立品を格納した状態の側面図である。
【図１３】図１２の針保護具組立品の平面図である。
【図１４】図１３の線ＡＡによる針保護具組立品の縦断面図である。
【図１５】図１３の線ＡＡによる針保護具組立品の縦断面図であるが、針保護具が閉位置にロックされていることを示す図である。
【図１６】図１５の丸で囲まれた針保護具の端部Ｂの詳細図である。
【図１７】針組立品に取り付けられた、本発明の第２の実施形態による針保護具の上からの斜視図である。
【図１８】開位置における図１７の針保護具の側面図である。
【図１９】開位置における図１７の針保護具の前面図である。
【図２０】図１７の針保護具組立品の平面図である。
【図２１】図１７の針保護具組立品の側面図である。
【図２２】図２０の線ＡＡによる針保護具組立品の縦断面図である。
【図２３】図１７の針保護具組立品であるが、針組立品を格納した状態の側面図である。
【図２４】図２３の針保護具組立品の縦断面図である。
【図２５】図２３の針保護具組立品の斜視図である。
【図２６】閉位置における図２０の針保護具の側面図である。
【図２７】図２６の針保護具組立品の縦断面図である。
【図２８】図２６の線ＢＢによる針保護具組立品の断面図である。
【図２９】針組立品に取り付けられた、本発明の第２の実施形態による針保護具の上からの斜視図である。
【図３０】開位置における図１７の針保護具の側面図である。
【図３１】図２９の針保護具組立品であるが、針組立品を格納した状態の斜視図である。
【図３２】図２９の針保護具組立品であるが、針組立品を格納した状態の側面図である。
【図３３】図２９の針保護具組立品であるが、針組立品を格納し針保護具を閉鎖した状態の側面図である。
【発明を実施するための形態】
【００３０】
図１〜図１６を参照すると、本発明の第１の実施形態による針保護具１０が示されている。針保護具は、図９に示されるように、針組立品１２に取り付けられるように適応される。針組立品１２は、導管１４、および針ブロック１８に取り付けられる針１６を備え、導管は針ブロック１８に接続されている。針ブロック１８は２つの可撓性翼状部２０を有する。この可撓性翼状部２０はブロックの両側で伸張して、使用者が針組立品１２をより容易に把持しかつ操作できるようにする。
【００３１】
針保護具１０は凹状部分２２および舌状部分２４を備える。部分２２および２４は保護具の後部２６で共に接合される。
【００３２】
図４で最も良く見られるように、この実施形態では、凹状部分２２はＵ字形であり、２つの対向した側壁３０を有する上壁２８を備える。舌状部２４は、２つの側壁３０内に収まるような大きさにされる。舌状部２４は、開位置と閉位置との間で上部分２２に対して移動するように適応される。
【００３３】
しかしながら、凹状部分２２は、一定の限界のある上壁および側壁を有する必要はなく、半円のまたは他の断面といった、端面図で連続的な湾曲部を有することができる。
【００３４】
「開」位置において、舌状部２４は側壁３０の下縁部３２の下に置かれ、図３に見られるように、舌状部２４と側壁３０との間に長手方向に伸張する細穴、開口部、または空間３４がある。
【００３５】
よって、上部分２２および舌状部２４は、保護具の前端４２において前部開き口４０を有する、長手方向に伸張する通路３６を画定する。保護具の後端２６に後部開き口３８がある。図９〜図１１に見られるように、保護具１０は、導管１４へ取り付けられるように適応され、導管１４は後部開き口３８を通って通路３６に沿って前部開き口４０から外へ通過し、針１６および針ブロック１８は前方端４２の前方へ保護具１０の外側になる。
【００３６】
保護具１０は導管に沿って移動可能であることで、針１６および針ブロック１８を保護具１０に引き入れる。
【００３７】
下縁部３２は、前端４２の方へ舌状部２４から離れて湾曲するように成形されるため、細穴３４は前端４２ではサイズが大きく、後端２６の方へ次第に狭くなる。これは重大ではないが、針組立品１４を保護具１０に引き入れる際に使用者を支援する。
【００３８】
細穴３４の上範囲（または上側）は側壁３０の下縁部によって画定される。この下範囲（または下側）は舌状部２４によって画定される。開位置において、舌状部２４の底壁５６は上壁２８と略平行である。側壁５８は底壁５６から上方に伸張する。図３で最も良く見られるように、これらの側壁５８は保護具の後部の方へと高くなる。側壁３０の下縁部３２はまた、上方に上がるため、細穴３４は後部方向で長手方向に対して上方に傾斜する。
【００３９】
保護具の後部の方へと、側壁５８は底壁５６に接続されるように終止し、アーム６０は後方へ伸張し、それぞれは、アーム６０と底壁５６との間の細穴６２を画定する。
【００４０】
アーム６０の後方範囲を超えて、下縁部３２は下方に湾曲し、かつ、舌状部２４を接合して、細穴３４の後方範囲６４を画定する。細穴６２の前部６８と細穴３４の後端６４との間の下面６６は、略平坦部分が形成されてよい、または、わずかに凸状に形成されてよい。図９に最も良く見られるように、細穴３４の後端６４は、単に丸みを帯びた端部であってよい、または、特大部分７０が形成されてよい。
【００４１】
少なくとも１つのガイド壁７２は、舌状部２４の底壁５６の方へ、導管１４および／または針ブロック１８を下方へ押し動かすように、設けられかつ位置付けられる。ガイド壁７２は、この実施形態にあるように、側壁の１つまたは両方から横に伸張することができる、または、上壁２８から通路において内部で伸張することができる。ガイド壁７２は、針ブロックおよび翼状部をしっかりと支えるため、針組立品が確実にかつ安全に支えられている感触が改善する。それぞれのガイド壁７２は細穴７３によって画定されるため、上方へ屈曲して細穴３４のサイズを増大させる。
【００４２】
使用後、針は、通常は導管１４に沿って保護具１０を摺動させることによって、導管１４に対する保護具１０のモーメントによって保護具１０に引き込まれる。保護具は針の方へ移動し、翼状部は細穴３４の上縁部または下縁部を係合し、保護具１０内へ針ブロックをガイドする支援を行う。保護具１０はその前方へ続けて移動し、翼状部２０は細穴に沿って後方へ移動し、針１６および針ブロック１８は通路３６内へ移動する。
【００４３】
細穴３４は保護具１０が開位置にある時「開放」されるため、針組立品を保護具に引き入れる際に舌状部２４と凹状部分２２との分離を大きくする必要は一切ない。そのため、針組立品を引き出すのに必要とされる力は比較的小さい。
【００４４】
アーム６０は、翼状部が通過しかつ細穴３４が下方に湾曲するように方向を変更し始める際に、アーム６０が下方に偏向するように、かつ、（翼状部の偏向によって）他の場合よりも抵抗が少なくなるように、主として設けられる。所望される場合、細穴６２は側壁５８が連続するように省かれてよい。
【００４５】
ブロック１８は、翼状部２０の後縁部が細穴３４の後端６４に達するまで、および／またはアーム６０の自由端を飛び越えるまで、後方へ移動させる。
【００４６】
細穴３４の後部６４とアーム６４の後部７４との間の距離は、翼状部２０の長さと同じまたはそれ以上であるのが好ましい。
【００４７】
針組立品は、翼状部２０の前縁部７６がアーム６４の後端７４を飛び越えるまで、および、前縁部７６がアーム６４の後部７４の後ろにまさに載せられるまで、後方に引っ張られる。しかしながら、その距離は小さくてよく、これには、翼状部を、略「波形」にすることによって、または、細穴３４の特大後部分内へと後端部分を湾曲させることによって、弾性的に変形させる必要がある場合がある。
【００４８】
所望される場合、細穴６２は、翼状部２０が細穴６２内へ前方に摺動されて追加の保持機構の機能を果たすことができるような大きさにされてよいが、これは必須ではない。翼状部は、後端７４を飛び越えると、翼状部の前部分を細穴６２内に移動させるように前方に移動可能である。細穴６２は、好ましくは、針組立品１２の前方移動によって、使用者が能動的にガイドする必要なく、翼状部２０が細穴６２に進入することになるように構成されてよい。
【００４９】
通路３６は開放されたままであり、潜在的には、人は、小指などの身体の一部を保護具の開放端内に挿入し、針１６に突き刺す可能性がある。さらに、人は、針ブロックを後方に故意に引っ張り、針ブロックを操作して翼状部を細穴６２から除去し、針を保護具から外へ移動させる場合がある。従って、保護具は通路用の閉鎖機構を有し、これは、好ましい実施形態では舌状部２４を利用する。
【００５０】
図８および図１５に見られるように、下舌状部２４は、一般的なヒンジ線５０を中心に回転可能である、および／または、舌状部の全てまたは一部が対向した側壁３０間に置かれるロック位置まで凹状部分２２に対して略屈曲可能である。図８および図１５に見られるように、舌状部２４の前端４４は、上壁２８に接触してまたはこの近くに置かれるように上方に移動可能であるような大きさにされる。
【００５１】
舌状部２４の前端４４の方へ、２つの横に伸張する翼状部または凸部４６がある。凸部４６の外縁部４８の分離は、舌状部２４の前端４４が上壁２８に接触しているまたはこの近くにある時の、側壁の分離よりもわずかに大きくなる。それぞれの側壁２８は、凸部が閉位置にある時に伸張することができる開口部５０を有する。
【００５２】
図１に最も良く見られるように、側壁３０の下縁部が５４で横に張り出すことで、側壁間での凸部４６の最初の進入を支援することが好ましい。
【００５３】
保護具は、好ましくは、可撓性プラスチック材料から形成されるため、側壁３０は、舌状部が閉位置へ移動する際に凸部４６を順応させるように外方に屈曲可能であり、側壁は、凸部が開口部５０と整合しかつこれに進入する時に非偏向状態にすぐに戻る。このスナップアクションは、舌状部２４が閉位置に確実にロックされていることをユーザに再保証する可聴クリック音をもたらす。
【００５４】
示される実施形態では、それぞれの開口部５０は、略Ｕ字形であるため、全体的に側壁３０の屈曲だけに頼るのではなく、屈曲可能である脚部５２を画定する。しかしながら、所望される場合、開口部５０の形状は、丸みを帯びた矩形といった凸部の形状に単に対応するに過ぎない場合がある。
【００５５】
よって、舌状部２４が閉位置に移動すると、針組立品は保護具内にほぼ不可逆的にロックされ、偶発的な引き出しが不可能である。
【００５６】
使用される針は、典型的には、それ自体に何らかの流体を有し、当該流体は保護具内に留まることが好ましい。従って、舌状部２０および側壁３０の側縁部は、ほぼ液密になるように形成されてよい。これは、壁３０と舌状部２０との間で横に締まりばめを有することによる、または、これらの間のいずれの間隙も流体流を阻止するのに十分小さいものにすることによる場合がある。
【００５７】
舌状部２０の上面は、好ましくは、舌状部の前部の方へと位置する一連の可撓性密封ひれ状部７８が形成される。閉位置において、密封ひれ状部７８は、上壁２８の下側と係合し、通路の前端をほぼ密封する。舌状部および上壁２８は、好ましくは、適所にロックされる時、舌状部がひれ状部を上壁２８に対して押し動かすように形成される。好ましい実施形態では、ひれ状部は、ロック用凸部４８の開放側に位置する。所望される場合、ひれ状部は、ロック用凸部４８の領域において、またはこれら凸部４８の後方に位置することができる。
【００５８】
図１４および図１５を比較することによって最も良く分かるように、舌状部をロック位置に移動させるアクションはまた、針の自由端を上方に移動させる。この回転移動は、ガイド壁７２が上方に屈曲しながら針ブロックに対する圧力を維持することによって保護具の後部で順応される。翼状部２０は、細穴６２内で係合されたままであるため、針ブロック１８に対して曲がる。
【００５９】
図８で最も良く見られるように、舌状部が閉位置に移動した時、細穴３４は、ほぼ閉鎖され、針組立品１２に対するいずれの前方に向けられた力も、針組立品を前方に移動させることはできない。とりわけ、アーム６０の端部７４（または、細穴６２が存在しない場合壁５８）は、側壁３０の下縁部３２に隣接するまたはこの上に重なる。
【００６０】
図１７〜図２８を参照すると、本発明の第２の実施形態による針保護具１１０が示されている。
【００６１】
図１９に示されるように、針保護具は、針組立品１２に取り付けられるように適応される。針組立品１２は、導管１４、および針ブロック１８に取り付けられる針１６を備え、導管は針ブロック１８に接続されている。針ブロック１８は２つの可撓性翼状部２０を有する。この可撓性翼状部２０はブロックの両側で伸張して、使用者が針組立品１２をより容易に把持しかつ操作できるようにする。
【００６２】
針保護具１１０は、第１の実施形態の針保護具１０と同様であるが、針組立品１２をロックするための配置構成はわずかに異なっている。しかしながら、完璧を期するために、針保護具１１０について十分に説明する。
【００６３】
針保護具１１０は凹状部分１２２および舌状部分１２４を備える。部分１２２および１２４は保護具の後部１２６で共に接合される。
【００６４】
図１９で最も良く見られるように、この実施形態では、凹状部分１２２はＵ字形であり、２つの対向した側壁１３０を有する上壁１２８を備える。舌状部１２４は、２つの側壁１３０内に収まるような大きさにされる。舌状部１２４は、開位置と閉位置との間で上部分１２２に対して移動するように適応される。
【００６５】
しかしながら、凹状部分１２２は、一定の限界のある上壁および側壁を有する必要はなく、半円のまたは他の断面といった、端面図で連続的な湾曲部を有することができる。
【００６６】
「開」位置において、舌状部１２４は側壁１３０の下縁部１３２の下に置かれ、図１８に見られるように、舌状部１２４と側壁１３０との間に長手方向に伸張する細穴、開口部、または空間１３４がある。
【００６７】
よって、凹状部分１２２および舌状部１２４は、保護具の前端１４２において前部開き口１４０を有する、長手方向に伸張する通路１３６を画定する。保護具の後端１２６に後部開き口１３８がある。図１に見られるように、保護具１１０は、導管１４へ取り付けられるように適応され、導管１４は後部開き口１３８を通って通路１３６に沿って前部開き口１４０から外へ通過し、針１６および針ブロック１８は前方端１４２の前方へ保護具１１０の外側になる。
【００６８】
保護具１１０は導管に沿って移動可能であることで、針１６および針ブロック１８を保護具１１０に引き入れる。
【００６９】
側壁１３０の下縁部１３２は、前端１４２の方へ舌状部１２４から離れて湾曲するように成形されるため、細穴１３４は前端１４２ではサイズが大きく、後端１２６の方へ次第に狭くなる。これは重大ではないが、針組立品１４を保護具１１０に引き入れる際に使用者を支援する。
【００７０】
細穴１３４の上範囲（または上側）は側壁１３０の下縁部１３２によって画定される。この下範囲（または下側）は舌状部１２４によって画定される。開位置において、舌状部１２４の底壁１５６は上壁１２８に対してわずかに下方に角度が付けられているが、これは重大ではない。側壁１５８は底壁１５６から上方に伸張し、舌状部１２４を強化する。これら側壁１５８はまた、針組立品および導管を針保護具内に維持する役割を果たすが、底壁の下側のリブなど、他の強化構造によって置き換えられてよい。
【００７１】
保護具の後部の方へと、湾曲した可撓性アーム１７２は舌状部１２４の両側で基部１５６から離れて上方に伸張する。細穴１７３によって、可撓性アーム１７２を基部１５６の方へ屈曲させることができる。可撓性アーム１７２は、第１の実施形態における湾曲部分７２と同様の機能を果たす。２つの可撓性アーム１７２があり、それぞれは両端で舌状部１２４に接合される。しかしながら、可撓性アーム１７２はその後方端で自由であってよい。第１の実施形態のガイド壁７２も同様である。
【００７２】
溝部材の側壁１３０のそれぞれにおいて、アーム１６０は舌状部材１２４の方へ伸張し、アーム１６０の自由端１７４は可撓性アーム１７２の前方にかつ舌状部１２４に近接して位置する。図１８に最も良く見られるように、側面視で、アーム１６０の端部間の間隙は、針組立品１２の翼状部２０の厚さより小さい。アーム１６０の後方範囲を超えて、上縁部は下方に伸張しかつ舌状部１２４を接合して、細穴１３４の後方範囲１６４を画定する。可撓性アーム１７２の上に重なる上縁部の一部分１６６は、好ましくは略平面であり、前方の方向に上壁の方へ角度が付けられる。この部分１６６と可撓性アーム１７２との間の間隙は、針保護具の翼状部の厚さより小さいのが好ましい。
【００７３】
通路１３６の両側で伸張する代わりに、１つまたは複数の可撓性アーム１７２は下壁１５６から通路１３６において内部で伸張することができる。可撓性アーム１７２は針ブロックおよび翼状部をしっかりと支えるため、針組立品が確実にかつ安全に支えられている感触が改善する。
【００７４】
使用後、針は、通常は導管１４に沿って保護具１０を摺動させることによって、導管１４に対する保護具１１０のモーメントによって保護具１１０に引き込まれる。保護具は針の方へ移動し、翼状部は細穴１３４の上縁部または下縁部を係合し、保護具１１０内へ針ブロックをガイドする支援を行う。保護具１１０はその前方へ続けて移動し、翼状部１２０は細穴に沿って後方へ移動し、針１６および針ブロック１８は通路１３６内へ移動する。
【００７５】
細穴１３４は保護具１１０が開位置にある時「開放」されるため、針組立品を保護具に引き入れる際に舌状部１２４と凹状部分１２２との分離を大きくする必要は一切ない。そのため、針組立品を保護具に引き入れるのに必要とされる力は比較的小さい。
【００７６】
翼状部がアーム１６０を通過する際に、アーム１６０は上方に偏向し、次いで、翼状部の後縁部は可撓性アーム１７２を係合し、可撓性アーム部分１７２を下方に偏向させる。
【００７７】
ブロック１８は、翼状部１２０の後縁部が細穴１３４の後端１６４に達するまで、および／または前縁部１７６がアーム１６０の自由端を飛び越えるまで、後方へ移動させる。
【００７８】
細穴１３４の後部１６４とアーム１６４の後部１７４との間の距離は、翼状部１２０の長さと同じまたはそれ以上であるのが好ましい。
【００７９】
針組立品は、翼状部１２０の前縁部１７６がアーム１６４の後端１７４を飛び越えるまで、および、前縁部１７６がアーム１６４の後部１７４の後ろにまさに載せられるまで、後方に引っ張られる。しかしながら、その距離は小さくてよく、これには、翼状部を、略「波形」にすることによって、または、細穴１３４の特大後部分内へと後端部分を湾曲させることによって、弾性的に変形させる必要がある場合がある。
【００８０】
翼状部がアーム１６４の後端１７４を容易に飛び越える場合、そのように行われると、アーム１６０は非偏向状態に戻るように移動し、細穴１３４のサイズを翼状部の厚さ未満に低減する。よって、いずれの追加の方策もなく、針組立品は開放端の方へ移動しないようにされる。同時に、可撓性アーム部分１７２は針組立品の前部を上方に回転させるため、翼状部は部分１６６に接触して支えられ、針１６は部分１６６に略平行に伸張する。これらの２つのアクションは、翼状部１２０がアーム１６４を通過したこと指示する再保証クリック音を生じさせる傾向にある。
【００８１】
図１８に見られるように、それぞれのアーム１６４の自由端１７４は、針組立品１２の進行方向に略垂直に伸張し、針組立品の前方移動は自由端１７４での係合によって防止されることになる。このような係合によって、アームのいずれの大幅な上方への偏向も生じることはない。述べられたように、アーム１６４の自由端１７４間の間隙は翼状部２０の厚さより小さいため、使用者が保護具内の針組立品を故意に操作する場合でも、アーム１６４は故意に上方に屈曲されない限り前方への動きを防止する。
【００８２】
所望される場合、細穴１６２は、翼状部１２０が、追加の保持機構の機能を果たすように、細穴１６２内へと前方に摺動できるような大きさにされてよいが、これは必須ではない。
【００８３】
通路１３６は開放されたままであり、潜在的には、人は、小指などの身体の一部を保護具の開放端内に挿入する可能性がある。この実施形態における配置構成では、角度が付けられた上壁部分１６６および可撓性アーム１７２が針組立品をこの壁部分に対して上方に押し動かすが、これは、図２４に最も良く見られるように、カニューレが上壁１２８の方へ角度が付けられることを意味する。この実施形態の好ましい構成では、カニューレ１６は、上壁１２８に対して押し動かされるように角度が付けられる。図２４に見られるように、カニューレのべベル１８０が上方にされる時、カニューレの自由端１８２は上壁にさらに非常に近接する。カニューレのべベル１８０が下方にされる時、カニューレの自由端１８２は上壁１２８に当接することになる。そのため、使用者が自身を針１６に突き刺すようなリスクは第１の実施形態と比較して低減される。
【００８４】
第１の実施形態と同様に、保護具は、通路用の閉鎖機構を有し、これは好ましい実施形態では舌状部１２４を利用する。
【００８５】
下舌状部１２４は、図２６〜図２８に見られるように、一般的なヒンジ線１５０を中心に回転可能である、および／または、舌状部の全てまたは一部が対向した側壁１３０間に置かれるロック位置まで凹状部分１２２に対して略屈曲可能である。図１８および図１５に見られるように、舌状部１２４の前端１４４は、上壁１２８に接触してまたはこの近くに置かれるように上方に移動可能であるような大きさにされる。
【００８６】
舌状部１２４の前端１４４の方へ、２つの横に伸張する翼状部または凸部１４６がある。凸部１４６の外縁部１４８の分離は、舌状部１２４の前端１４４が上壁１２８に接触しているまたはこの近くにある時の、側壁の分離よりもわずかに大きくなる。それぞれの側壁１２８は、凸部が閉位置にある時に伸張することができる開口部１５０を有する。
【００８７】
図１９および図２８に最も良く見られるように、側壁１３０の下縁部が１５４で横に張り出すことで、側壁間での凸部１４６の最初の進入を支援することが好ましい。
【００８８】
保護具は、好ましくは、可撓性プラスチック材料から形成されるため、側壁１３０は、舌状部が閉位置へ移動する際に凸部１４６を順応させるように外方に屈曲可能であり、側壁は、凸部が開口部１５０と整合しかつこれに進入する時に非偏向状態にすぐに戻る。このスナップアクションは、舌状部１２４が閉位置に確実にロックされていることをユーザに再保証する可聴クリック音をもたらす。
【００８９】
示される実施形態では、それぞれの開口部１５０は、略Ｕ字形であるため、全体的に側壁１３０の屈曲だけに頼るのではなく、屈曲可能である脚部１５２を画定する。しかしながら、所望される場合、開口部１５０の形状は、丸みを帯びた矩形といった凸部の形状に単に対応するに過ぎない場合がある。
【００９０】
よって、舌状部１２４が閉位置に移動すると、針組立品は保護具内にほぼ不可逆的にロックされ、偶発的な引き出しが不可能である。
【００９１】
使用される針は、典型的には、それ自体に何らかの流体を有し、当該流体は保護具内に留まることが好ましい。従って、舌状部１２０および側壁１３０の側縁部は、ほぼ液密になるように形成されてよい。これは、壁１３０と舌状部１２０との間で横に締まりばめを有することによる、または、これらの間のいずれの間隙も流体流を阻止するのに十分小さいものにすることによる場合がある。
【００９２】
舌状部１２０の上面は、好ましくは、舌状部の前部の方へと位置する一連の可撓性密封ひれ状部１７８が形成される。閉位置において、密封ひれ状部１７８は、上壁１２８の下側と係合し、通路の前端をほぼ密封する。舌状部および上壁１２８は、好ましくは、適所にロックされる時、舌状部がひれ状部を上壁１２８に対して押し動かすように形成される。好ましい実施形態では、ひれ状部は、ロック用凸部１４８の開放側に位置する。所望される場合、ひれ状部は、ロック用凸部１４８の領域において、またはこれら凸部１４８の後方に位置することができる。
【００９３】
図２６および図２７に最も良く見られるように、舌状部が閉位置に移動した時、細穴１３４は閉鎖され、アーム１６４は側壁１５８を係合しかつ上方に偏向される。針組立品１２に対するいずれの前方に向けられた力も、針組立品を前方に移動させることはできない。
【００９４】
好ましい実施形態では、略平面の上壁、下壁、および側壁２８、２４、および３０、ならびに１２８、１２４、および１３０をそれぞれ利用するが、凹状部分２２および１２２が、特定の上壁および側壁がなく、下部材２４および１２４を受ける開口部を有する溝などであってよいことは、理解されるであろう。例として、半円の断面を有する溝で十分であると思われる。「上」および「下」の使用はまた、便宜上であり、さまざまな構成要素の向きが重大でないことも、理解されるであろう。
【００９５】
説明された好ましい実施形態は、対応する凹状部材２２または１２２内でほぼその全長に沿って受けられる略平面の舌状部材２４および１２４を有するが、細穴の閉鎖は、舌状部材が、凹状部材２２または１２２の下側縁部に当接するより広い部分を有することによる場合がある。舌状部材は、凹状部分２２または１２２内に伸張しかつ通路を閉鎖するより狭い部分を有することができる。
【００９６】
図２９〜図３０は、針組立品２１２に取り付けられる別の実施形態による針保護具２１０を示す。針保護具２１０は、図１７〜図２８の針保護具１１０とほぼ同じである。針保護具２１０は、基部２１６の上面２１４から湾曲した可撓性アーム２１８への移行がより円滑である点で、針保護具１１０と異なっている。細穴２２２の後方端部分２２０も異なる形状である。これは、翼付き針が逆さまに使用される時の互換性を支援する。
【００９７】
文脈で明確に要求されない限り、明細書およびいずれの請求項も全体を通して、「備える」および「備えている」などの単語は、排他的なまたは網羅的な意味とは対照的に包括的な意味で、すなわち、「限定はされないが含んでいる」という意味で、解釈されるべきである。
【００９８】
本明細書に説明されるまたは述べられる本発明の特徴は、特徴が相互に排他的でない場合、特徴の任意の組み合わせで組み合わせられてよい。
【００９９】
本発明の趣旨または範囲から逸脱することなく、本明細書に説明される実施形態に、多くの明白な修正および変形がなされてよいことは、当業者には明らかとなろう。
【図１】
2018522635.tif 000003
【図２】
2018522635.tif 000004
【図３】
2018522635.tif 000005
【図４】
2018522635.tif 000006
【図５】
2018522635.tif 000007
【図６】
2018522635.tif 000008
【図７】
2018522635.tif 000009
【図８】
2018522635.tif 000010
【図９】
2018522635.tif 000011
【図１０】
2018522635.tif 000012
【図１１】
2018522635.tif 000013
【図１２】
2018522635.tif 000014
【図１３】
2018522635.tif 000015
【図１４】
2018522635.tif 000016
【図１５】
2018522635.tif 000017
【図１６】
2018522635.tif 000018
【図１７】
2018522635.tif 000019
【図１８】
2018522635.tif 000020
【図１９】
2018522635.tif 000021
【図２０】
2018522635.tif 000022
【図２１】
2018522635.tif 000023
【図２２】
2018522635.tif 000024
【図２３】
2018522635.tif 000025
【図２４】
2018522635.tif 000026
【図２５】
2018522635.tif 000027
【図２６】
2018522635.tif 000028
【図２７】
2018522635.tif 000029
【図２８】
2018522635.tif 000030
【図２９】
2018522635.tif 000031
【図３０】
2018522635.tif 000032
【図３１】
2018522635.tif 000033
【図３２】
2018522635.tif 000034
【図３３】
2018522635.tif 000035
【国際調査報告】
2018522635.tif 000036
2018522635.tif 000037
2018522635.tif 000038